(57)【要約】【課題】携帯端末に対する着信を速やかにユーザに通知でき、着信中に携帯している携帯端末を用いた応答機会を増やすこと。【解決手段】受信通知装置１２０は、着信先となる携帯端末１１０のＩＭＳＩを含むページング・メッセージを受信する無線受信部５０２と、携帯端末１１０のＩＭＳＩを格納するデータ格納部５０５と、受信されたメッセージに含まれるＩＭＳＩがデータ格納部５０５に格納されたＩＭＳＩと一致するか否かを判定し、一致すると判定された場合に、データ格納部５０５に格納されたＩＭＳＩに対応するユーザへの通知情報を出力する制御部５０３と、を含む。これにより、携帯端末１１０への着信時に携帯している携帯端末１１０を用いて着信応答できる機会を増大できる。【選択図】図１
2012212994.tif 000002
【特許請求の範囲】
【請求項１】
着信先となる携帯端末の端末識別情報を含むメッセージを受信する受信部と、
携帯端末の端末識別情報を格納する格納部と、
受信されたメッセージに含まれる端末識別情報が前記格納部に格納された端末識別情報と一致するか否かを判定し、一致すると判定された場合に、前記格納部に格納された端末識別情報に対応する通知情報を出力する制御部と、
を備えることを特徴とする受信通知装置。
【請求項２】
前記制御部が出力する通知情報を表示、音声、振動のうち少なくとも一つにより通知する通知部を備えたことを特徴とする請求項１に記載の受信通知装置。
【請求項３】
前記格納部は、前記携帯端末に設定されているユーザ識別情報を格納し、
前記制御部は、前記格納部に格納されている端末識別情報に対応する前記ユーザ識別情報を前記通知部に出力することを特徴とする請求項２に記載の受信通知装置。
【請求項４】
着信先となる携帯端末の識別情報を含むメッセージを受信する受信部と、
携帯端末の識別情報を格納する格納部と、
受信されたメッセージに含まれる識別情報が前記格納部に格納された識別情報と一致するか否かを判定し、一致すると判定された場合に、前記格納部に格納された識別情報に対応する通知情報を出力する制御部と、を備える受信通知装置と、
端末識別情報とユーザ識別情報とを対応付けて格納する格納部と、
前記受信通知装置から前記通知情報を受けたときに、前記通知情報に対応するユーザ識別情報を前記格納部から取得し、取得した前記ユーザ識別情報を出力する制御部と、を備える着信通知制御装置と、
前記着信通知制御装置から出力される前記ユーザ識別情報を通知する通知装置と、
を備えたことを特徴とする受信通知システム。
【発明の詳細な説明】
【技術分野】
【０００１】
本発明は、携帯端末へのメッセージ受信を通知する受信通知装置及び受信通知システムに関する。
【背景技術】
【０００２】
携帯電話機を厚手の鞄などに収めて携帯している場合、スーパー等の人ごみの中や、館内放送として音楽が流れているような状況では、着信音やバイブレーションだけでは、所持している携帯電話機に着信があったことに気付かないことが多い。携帯電話機の着信を知らせるために、別装置を利用する方法として、分離可能な携帯端末の一方を気付きやすい場所（胸ポケット等）に入れる構成としたり、ブレスレット等にして携帯するものが製品化されているが、幅広い利用には至っていない。
【０００３】
携帯電話機への着信を検出し、当該携帯電話機を保持するユーザに通知するものとして、携帯電話機の持ち込み禁止エリアにおいて、ロッカーに携帯電話機を格納し、着信認識装置を用いて着信時に有線接続された電光掲示板へ表示し、ポケット受信機に無線で着信を知らせる技術がある（たとえば、下記特許文献１参照。）。
【０００４】
また、携帯電話機の利用禁止エリアに入ると携帯電話機を省電力等オフラインモードにし、制御装置を用いて携帯電話事業者へ転送設定変更をおこなう。そして、携帯電話機への着信時には、外部装置へ着信表示し、通話の際には有線電話へ転送して通話をおこなう技術がある（たとえば、下記特許文献２参照。）。
【０００５】
また、共用電話機を複数人で効率的に利用するものとして、ユーザごとの携帯電話機情報を共用電話機に登録することで着信時のユーザ識別を容易にする技術がある（たとえば、下記特許文献３参照。）。
【先行技術文献】
【特許文献】
【０００６】
【特許文献１】特開２０１０−０６３０７５号公報
【特許文献２】特開２００７−１２４３２６号公報
【特許文献３】特開２００６−３２４９５０号公報
【発明の概要】
【発明が解決しようとする課題】
【０００７】
しかしながら、特許文献１の技術では、携帯電話機の利用禁止エリアにおいて、携帯電話機への着信を代替する受信手段で知らせるだけの構成であり、常に代替するポケット受信機でしか着信を通知することができない。また、特許文献２の技術では、着信の転送をおこなうため、身近にある携帯電話機を利用した着信ができないとともに、既存の通信設備は転送処理等により処理負担が増える。特許文献３の技術では、基地局がユーザの携帯電話機への着信を共有電話機に着信するような待ち受け登録を行っておく必要があるため、基地局に特別な仕組みを設ける必要があった。そして、特許文献１〜３の技術では、いずれも携帯端末を別の場所へ置く、オフライン化する、別の共用電話機を利用する等、携帯端末への着信があっても携帯端末を用いた応答ができない。また、自身の携帯電話機への着信を外部の表示等でユーザに知らせ、ユーザはこの表示を見て着信があったことに気がつくため、ユーザがこの１回の着信中に速やかに応答することができない。
【０００８】
開示の受信通知装置及び受信通知システムは、上述した問題点を解消するものであり、携帯端末に対する着信を速やかにユーザに通知でき、着信中に携帯している携帯端末を用いた応答機会を増やすことを目的とする。
【課題を解決するための手段】
【０００９】
上述した課題を解決し、目的を達成するため、開示技術の受信通知装置は、着信先となる携帯端末の端末識別情報を含むメッセージを受信する受信部と、携帯端末の端末識別情報を格納する格納部と、受信されたメッセージに含まれる端末識別情報が前記格納部に格納された端末識別情報と一致するか否かを判定し、一致すると判定された場合に、前記格納部に格納された端末識別情報に対応する通知情報を出力する制御部と、を含む。
【発明の効果】
【００１０】
開示の受信通知装置及び受信通知システムによれば、携帯端末に対する着信を速やかにユーザに通知でき、着信中に携帯している携帯端末を用いた応答機会を増やすことができるという効果を奏する。
【図面の簡単な説明】
【００１１】
【図１】図１は、実施の形態にかかる受信通知装置を含む受信通知システムの全体構成を示す図である。
【図２】図２は、読取装置の機能を示すブロック図である。
【図３】図３は、着信通知制御装置の機能を示すブロック図である。
【図４】図４は、着信通知制御装置に格納される登録情報を示す図表である。
【図５】図５は、受信通知装置の機能を示すブロック図である。
【図６】図６は、受信通知装置に格納されるＩＭＳＩリストを示す図表である。
【図７】図７は、ユーザ通知装置の機能を示すブロック図である。
【図８】図８は、登録情報の登録処理を示すシーケンス図である。
【図９】図９は、ページング・メッセージ受信時のユーザ通知処理を示すシーケンス図である。
【図１０】図１０は、登録情報の削除処理を示すシーケンス図である。
【図１１】図１１は、受信通知装置が実行するページング・メッセージ受信時の処理を示すフローチャートである。
【図１２】図１２は、携帯端末が実行するページング・メッセージ受信時の処理を示すフローチャートである。
【図１３】図１３は、ユーザ通知による携帯端末への着信応答の状態を示すフローチャートである。
【図１４】図１４は、交通機関の乗車時の適用例を示す図である。
【図１５】図１５は、携帯端末を持ち込めない特定エリアへの適用例を示す図である。
【発明を実施するための形態】
【００１２】
以下に添付図面を参照して、開示技術の好適な実施の形態を詳細に説明する。
【００１３】
（実施の形態）
開示の受信通知装置及び受信通知システムは、ユーザが保有する携帯電話等の携帯端末の端末識別情報を読み出して格納しておく。受信したメッセージ（ページング・メッセージ）に含まれる端末識別情報との一致を判定し、一致時には、格納部に格納された端末識別情報に対応する通知情報を出力することにより、携帯端末への着信を検出し、表示等によりユーザに対し通知することで、ユーザの着信認識の機会を向上させるものである。
【００１４】
（受信通知装置の全体構成図）
図１は、実施の形態にかかる受信通知装置を含むシステムの全体構成を示す図である。携帯電話ネットワーク１００は、既存の通信設備であり、交換機１０１および複数の基地局１０２を含む。携帯電話ネットワーク１００に接続することにより、携帯端末１１０は、他の携帯端末等と通話およびメール受信、インターネット接続等の通信をおこなうことができる。携帯端末として携帯電話機があるが、携帯電話機に限らない。
【００１５】
受信通知装置１２０は、予め登録した複数の携帯端末１１０あてのページング・メッセージＰを受信する機能を有する。この受信通知装置１２０は、特定の場所に設置され、所定範囲内に位置する複数の携帯端末１１０に対するページング・メッセージＰを受信する。これにより、受信通知装置１２０に登録した携帯端末１１０あてのページング・メッセージＰは、携帯端末１１０とともに、受信通知装置１２０でも同時に受信される。
【００１６】
読取装置１３０は、携帯端末１１０に格納されている端末識別情報を読み取る。着信通知制御装置１４０は、端末識別情報をデータ格納部１４１に格納する。このデータ格納部１４１は、格納部として機能する。この着信通知制御装置１４０は、汎用のコンピュータ装置（ＰＣ）やサーバを用いることができる。ユーザ通知装置１５０は、携帯端末１１０あての着信を表示あるいは音声等によりユーザに通知する通知部及び通知装置として機能する。このユーザ通知装置１５０は、たとえば、図１に記載のような電光掲示板を用いてもよい。着信通知制御装置１４０は、受信通知装置１２０と、ユーザ通知装置１５０にそれぞれ接続されている。
【００１７】
（全体構成の動作概要）
受信通知装置１２０に対する携帯端末１１０の登録処理について説明すると、１．ユーザＡは、事前に携帯端末１１０に固有の端末識別情報を着信通知制御装置１４０に登録する。２．この登録の際、読取装置１３０を用い、読取装置１３０は、携帯端末１１０に格納されている端末識別情報を読み取り、着信通知制御装置１４０に登録する。着信通知制御装置１４０は、読み取った端末識別情報をデータ格納部１４１に格納する。
【００１８】
データ格納部１４１に格納される端末識別情報としては、携帯電話機の例では、ＳＩＭカード内に保存されるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、携帯端末１１０に登録されているユーザ識別情報がある。ＩＭＳＩとは、ＧＳＭやＷＣＤＭＡ方式における全ての携帯端末１１０に割り当てられている一意な識別番号である。ユーザ識別情報としては、電話番号、名前、ニックネーム等を含む。そして、３．着信通知制御装置１４０は、登録した全ての携帯端末１１０のＩＭＳＩを受信通知装置１２０に通知する。受信通知装置１２０は、通知されたＩＭＳＩを格納する。
【００１９】
つぎに、ページング・メッセージＰ受信時の処理動作について説明する。４．受信通知装置１２０は、格納されているＩＭＳＩに対応するページング・メッセージＰを受信したときには、着信通知制御装置１４０に通知情報（たとえば、ＩＭＳＩ）を通知する。５．着信通知制御装置１４０は、通知情報を受けると、データ格納部１４１に登録されている通知情報（ＩＭＳＩ）に対応するユーザ識別情報を読み出し、このユーザ識別情報（たとえば名前）をユーザ通知装置１５０に出力する。
【００２０】
これにより、ユーザが携帯端末１１０を携帯していない状態で携帯端末１１０への着信時に、ユーザ通知装置１５０に表示された自分の名前を見ることにより、ユーザは、自分の携帯端末１１０に対する着信があったことを速やかに知ることができる。そして、ユーザ通知装置１５０への表示により、携帯端末１１０を取り出して着信中の通話に直ぐに応答でき、また、メール等の通信内容であっても内容をできるだけ速やかに知ることができるようになる。
【００２１】
すなわち、携帯電話ネットワーク１００から携帯端末１１０あてに通話およびデータ送信をおこなう際には、まず、基地局１０２から携帯端末１１０にページング・メッセージＰが送信され、この後、携帯端末１１０が着信呼動する。このため、ページング・メッセージＰの受信で即座に着信報知することにより、ユーザが着信呼の切れる前に接続できる機会を増やすことができるようになる。
【００２２】
図２は、読取装置の機能を示すブロック図である。読取装置１３０は、携帯端末１１０に格納されている端末識別情報を携帯端末１１０から受信する情報受信部２０１と、情報解析部２０２と、情報送信部２０３と、を含む。
【００２３】
情報受信部２０１は、携帯端末１１０をかざしたときに携帯端末１１０に登録されている端末識別情報（ＩＭＳＩ）やユーザ識別情報を受信する。情報受信部２０１は、たとえば、Ｂｌｕｅｔｏｏｔｈ（登録商標）受信部２０１ａ、非接触型ＩＣ受信部２０１ｂ等の無線受信するものを用いることができる。情報解析部２０２は、情報受信部２０１で受信した情報を解析し、ＩＭＳＩおよびユーザ識別情報を判別する。情報送信部２０３は、情報解析部２０２で判別したＩＭＳＩおよびユーザ識別情報を着信通知制御装置１４０に通知する。
【００２４】
図３は、着信通知制御装置の機能を示すブロック図である。着信通知制御装置１４０は、登録情報受信部３０１と、着信情報受信部３０２と、制御部３０３と、登録情報送信部３０４と、着信情報送信部３０５と、データ格納部１４１と、を含む。
【００２５】
登録情報受信部３０１は、読取装置１３０から送信された情報（ＩＭＳＩやユーザ識別情報）を受信する。着信情報受信部３０２は、受信通知装置１２０から通知情報（受信通知装置１２０が着信したＩＭＳＩ）を受信する。制御部３０３は、登録情報受信部３０１から受信した情報（ＩＭＳＩとユーザ識別情報）について、データ格納部１４１に保存、および削除の指示をおこなう。また、データ格納部１４１に保存（登録）したＩＭＳＩを登録情報送信部３０４に通知する。着信情報受信部３０２により着信した携帯端末１１０のＩＭＳＩを受信したときには、データ格納部１４１の情報を元に、ユーザ識別情報を変換して着信情報送信部３０５に通知する。
【００２６】
登録情報送信部３０４は、登録した情報（ＩＭＳＩやユーザ識別情報）を受信通知装置１２０に送信する。着信情報送信部３０５は、着信のあった携帯端末１１０のユーザ識別情報をユーザ通知装置１５０に送信する。データ格納部１４１は、制御部３０３の指示に基づき、登録した情報（ＩＭＳＩとユーザ識別情報）を保存し、削除指令時にはデータ削除する。
【００２７】
図４は、着信通知制御装置に格納される登録情報を示す図表である。着信通知制御装置１４０のデータ格納部１４１には、図示のように、複数（ｎ）の携帯端末１１０の登録情報を登録情報テーブル４００として記憶する。ある１つの携帯端末１１０の登録情報［０］４０１を例に説明すると、この登録情報４０１は、携帯端末１１０に固有のＩＭＳＩ４０１ａと、ユーザ識別情報４０１ｂからなる。ユーザ識別情報４０１ｂは、携帯端末１１０のユーザを識別するための情報であり、電話番号、名前、ニックネーム等、を用いることができる。このユーザ識別情報４０１ｂは、携帯端末１１０への着信時、ユーザ通知装置１５０に表示し、ユーザに対し携帯端末１１０への着信を通知する際に用いる情報である。
【００２８】
図５は、受信通知装置の機能を示すブロック図である。受信通知装置１２０は、登録情報受信部５０１と、受信部としての無線受信部５０２と、制御部５０３と、着信情報送信部５０４と、データ格納部５０５と、を含む。
【００２９】
登録情報受信部５０１は、着信通知制御装置１４０からＩＭＳＩを受信する。無線受信部５０２は、携帯電話ネットワーク１００から着信先となる携帯端末１１０の端末識別情報を含むページング・メッセージを受信する。制御部５０３は、登録情報受信部５０１が受信したＩＭＳＩをデータ格納部５０５に保存し、また削除の指示をおこなう。また、無線受信部５０２より受信したページング・メッセージを解析し、ＩＭＳＩを抽出する。抽出したＩＭＳＩは、データ格納部５０５に保存しているＩＭＳＩリストと比較し、一致したときには着信情報送信部５０４に一致したＩＭＳＩを通知する。
【００３０】
着信情報送信部５０４は、ページング・メッセージ内に設定されているＩＭＳＩ（着信のＩＭＳＩ）を着信通知制御装置１４０に送信する。データ格納部５０５は、携帯端末の端末識別情報を格納する格納部として機能する。このデータ格納部５０５は、制御部５０３からの指示により、携帯端末の端末識別情報であるＩＭＳＩを保存し、削除指令時にはデータ削除する。
【００３１】
図６は、受信通知装置に格納されるＩＭＳＩリストを示す図表である。受信通知装置１２０のデータ格納部５０５には、図示のように、複数（ｎ）の携帯電話機のＩＭＳＩがＩＭＳＩリスト６００としてテーブル記憶される。たとえば、ＩＭＳＩ［０］６０１は、図４に示した着信通知制御装置１４０のデータ格納部１４１に格納された登録情報［０］のＩＭＳＩ４０１ａと同じＩＭＳＩの情報である。
【００３２】
図７は、ユーザ通知装置の機能を示すブロック図である。ユーザ通知装置１５０は、着信情報受信部７０１と、ユーザ通知部７０２と、を含む。着信情報受信部７０１は、着信のあった携帯端末１１０のユーザ識別情報を着信通知制御装置１４０から受信する。ユーザ通知部７０２は、着信情報受信部７０１が受信した着信があった携帯端末１１０のユーザ識別情報を元にユーザに通知する。ユーザ識別情報としては、電話番号、名前、ニックネーム等であり、携帯端末１１０を所有するユーザは、この通知により、自身への通知であることを知ることができる。
【００３３】
ユーザ通知部７０２における通知手段としては、モニタや電光掲示板に名前等を表示する表示部７０２ａ、予めユーザ識別情報として取得したユーザ固有の振動を発生させる振動部７０２ｂ、名前を音声解読して読み上げたり、予めユーザ識別情報として取得したユーザ固有の着メロ等を出力する音出力部７０２ｃ、等によりユーザに通知する。これら表示部７０２ａ〜音出力部７０２ｃを組み合わせて通知することもできる。
【００３４】
上述した受信通知装置１２０の制御部５０３、および着信通知制御装置１４０の制御部３０３は、それぞれＣＰＵ、ＲＯＭ、ＲＡＭ等を有し、制御プログラムの実行により、各部を制御して上述した機能を実現する。
【００３５】
（登録情報の登録処理について）
図８は、登録情報の登録処理を示すシーケンス図である。携帯端末１１０のユーザが上記のシステムによる着信通知サービスをおこなうエリアに入り、着信通知サービスを利用するとき、ユーザは、はじめに、携帯端末１１０の登録情報であるＩＭＳＩ、ユーザ識別情報を読取装置１３０により読み取る（ステップＳ８０１）。つぎに、読取装置１３０は、読み取ったＩＭＳＩ、ユーザ識別情報を着信通知制御装置１４０に通知する（ステップＳ８０２）。
【００３６】
着信通知制御装置１４０は、受信した登録情報（ＩＭＳＩ、ユーザ識別情報）を登録情報テーブル（図４参照）４００としてデータ格納部１４１に登録する（ステップＳ８０３）。この後、着信通知制御装置１４０は、データ格納部１４１に格納した登録情報のうち、携帯端末１１０ごとのページング・メッセージの受信を識別するための情報としてＩＭＳＩを受信通知装置１２０に情報通知する（ステップＳ８０４）。
【００３７】
受信通知装置１２０は、データ格納部５０５に、受信したＩＭＳＩの情報をＩＭＳＩリスト６００（図６参照）として、登録する（ステップＳ８０５）。上記処理は、１台の携帯端末１１０に対する処理であるが、同様に、ユーザ通知サービスを受ける他の複数の携帯端末１１０についても同様の手順を実施する。
【００３８】
（ページング・メッセージ受信時のユーザ通知処理について）
図９は、ページング・メッセージ受信時のユーザ通知処理を示すシーケンス図である。携帯電話ネットワーク１００から携帯端末１１０あての着信に伴うページング・メッセージＰを受信すると（ステップＳ９０１）、受信通知装置１２０はこのページング・メッセージを受信し、ページング・メッセージ受信時の処理（詳細は後述する）をおこなう（ステップＳ９０２）。
【００３９】
そして、受信通知装置１２０は、受信したページング・メッセージに対応するＩＭＳＩの情報を着信通知制御装置１４０に通知する（ステップＳ９０３）。着信通知制御装置１４０は、データ格納部１４１の登録情報テーブル４００を参照し、通知されたＩＭＳＩがこの登録情報テーブル４００に含まれているか否かを判断する（ステップＳ９０４）。そして、通知されたＩＭＳＩが登録情報テーブル４００に含まれていなければ（ステップＳ９０４：Ｎｏ）、以降のユーザ通知に関する処理をおこなわない。通知されたＩＭＳＩが登録情報テーブル４００に含まれていれば（ステップＳ９０４：Ｙｅｓ）、登録情報テーブル４００から該当のＩＭＳＩに対応するユーザ識別情報を取得する（ステップＳ９０５）。そして、取得したユーザ識別情報をユーザ通知装置１５０に通知する（ステップＳ９０６）。なお、Ｓ９０４における判定は必須ではなく、後述するＳ９０２内の同様の判定で事足りる等の場合には当該判定を省いても構わない。
【００４０】
ユーザ通知装置１５０は、着信通知制御装置１４０から通知されたユーザ識別情報を受けて、ユーザに着信を通知する（ステップＳ９０７）。この際、上述したように表示部７０２ａにユーザ識別情報としての電話番号、名前、ニックネーム等の１つあるいは複数を表示したりする。これにより、ユーザは、携帯端末１１０を携帯していなくても、ユーザ通知装置１５０の通知を受けて自身の携帯端末１１０への着信があったことを知ることができるようになる。
【００４１】
（登録情報の削除処理について）
図１０は、登録情報の削除処理を示すシーケンス図である。携帯端末１１０のユーザが上記のシステムによる着信通知サービスをおこなうエリアから出て、着信通知サービスの利用をやめるとき、下記の手順で登録情報を削除する。はじめに、携帯端末１１０の端末識別情報（ＩＭＳＩ）を読取装置１３０により読み取る（ステップＳ１００１）。この際、携帯端末１１０を識別できる１つの情報（この処理例ではＩＭＳＩ）だけを読み取りに用いればよい。つぎに、読取装置１３０は、読み取った端末識別情報（ＩＭＳＩ）を着信通知制御装置１４０に通知する（ステップＳ１００２）。
【００４２】
着信通知制御装置１４０は、登録情報テーブル４００（図４参照）を参照し、通知されたＩＭＳＩがこの登録情報テーブル４００に含まれているか否かを判断する（ステップＳ１００３）。そして、着信通知制御装置１４０は、通知されたＩＭＳＩが登録情報テーブル４００に含まれていないときには（ステップＳ１００３：Ｎｏ）、登録情報の削除に関する処理をおこなわない。通知されたＩＭＳＩが登録情報テーブル４００に含まれていれば（ステップＳ１００３：Ｙｅｓ）、着信通知制御装置１４０は、登録情報テーブル４００から該当の登録情報（ＩＭＳＩ、ユーザ識別情報）を削除する（ステップＳ１００４）。そして、着信通知制御装置１４０は、削除した端末識別情報（ＩＭＳＩ）を受信通知装置１２０に情報通知する（ステップＳ１００５）。
【００４３】
受信通知装置１２０は、データ格納部５０５のＩＭＳＩリスト（図６参照）６００を参照し、受信したＩＭＳＩがＩＭＳＩリスト６００に含まれているか否かを判断する（ステップＳ１００６）。そして、受信通知装置１２０は、通知されたＩＭＳＩがＩＭＳＩリスト６００に含まれていないときには（ステップＳ１００６：Ｎｏ）、ＩＭＳＩの削除に関する処理をおこなわない。通知されたＩＭＳＩがＩＭＳＩリスト６００に含まれていれば（ステップＳ１００６：Ｙｅｓ）、受信通知装置１２０は、ＩＭＳＩリスト６００から該当のＩＭＳＩの情報を削除する（ステップＳ１００７）。
【００４４】
（受信通知装置のページング・メッセージ受信時の処理について）
図１１は、受信通知装置が実行するページング・メッセージ受信時の処理を示すフローチャートである。受信通知装置１２０は、携帯電話ネットワーク１００の基地局１０２が送信したページング・メッセージＰを受信すると（ステップＳ１１０１）、以下の処理を実行する。
【００４５】
はじめに、受信通知装置１２０は、受信したページング・メッセージＰからＩＭＳＩを抽出する（ステップＳ１１０２）。つぎに、受信通知装置１２０は、ＩＭＳＩリスト６００（図６参照）を参照し、受信したページング・メッセージＰに含まれるＩＭＳＩ（着信検出対象のＩＭＳＩ）が含まれているか否かを判断する（ステップＳ１１０３）。着信検出対象のＩＭＳＩが含まれていないときには（ステップＳ１１０３：Ｎｏ）、受信したページング・メッセージＰに関する以下の処理をおこなわず、処理を終了する。
【００４６】
一方、着信検出対象のＩＭＳＩがＩＭＳＩリスト６００に含まれていれば（ステップＳ１１０３：Ｙｅｓ）、受信通知装置１２０は、ＩＭＳＩリスト６００のうち着信検出対象であるＩＭＳＩを着信通知制御装置１４０に通知し（ステップＳ１１０４）、１回のページング・メッセージＰ受信時の処理を終了する。このように、受信通知装置１２０においては、基地局１０２が送信したページング・メッセージに対する応答（ＲＲＣ  Ｃｏｎｎｅｃｔｉｏｎ  Ｒｅｑｕｅｓｔ等）はおこなわない。
【００４７】
（携帯端末におけるページング・メッセージ受信時の処理について）
図１２は、携帯端末が実行するページング・メッセージ受信時の処理を示すフローチャートである。携帯端末１１０は、携帯電話ネットワーク１００の基地局１０２が送信したページング・メッセージＰを受信すると（ステップＳ１２０１）、以下の処理を実行する。
【００４８】
はじめに、携帯端末１１０は、受信したページング・メッセージＰからＩＭＳＩを抽出する（ステップＳ１２０２）。つぎに、携帯端末１１０は、受信したページング・メッセージＰに含まれるＩＭＳＩが自端末のＩＭＳＩと同じか否かを判断する（ステップＳ１２０３）。受信したＩＭＳＩが自端末のＩＭＳＩと異なるときには（ステップＳ１２０３：Ｎｏ）、自端末に対するページング・メッセージＰではないため、処理を終了する。
【００４９】
一方、受信したＩＭＳＩが自端末のＩＭＳＩと同じときには（ステップＳ１２０３：Ｙｅｓ）、自端末に対するページング・メッセージＰの受信であるため、携帯端末１１０は、コネクション確立のためのメッセージ（ＲＲＣ  Ｃｏｎｎｅｃｔｉｏｎ  Ｒｅｑｕｅｓｔ）を基地局１０２に送信する（ステップＳ１２０４）。この後、携帯端末１１０は、基地局１０２からコネクション確立のための応答メッセージ（ＲＲＣ  Ｃｏｎｎｅｃｔｉｏｎ  Ｓｅｔｕｐ）を待つ（ステップＳ１２０５）。以降、図示は省略するが、携帯端末１１０は、通話にかかる処理を実行する。
【００５０】
（ユーザ通知による携帯着信応答について）
つぎに、携帯端末１１０に対するページング・メッセージＰ受信に伴うユーザ通知と、ユーザ通知を受けたユーザによる携帯端末１１０の応答の状態について説明する。図１３は、ユーザ通知による携帯端末への着信応答の状態を示すフローチャートである。図１１に記載の受信通知装置１２０の処理と、図１２に記載の携帯端末１１０の処理とを図中上下方向の時間軸を合わせて記載してある。
【００５１】
受信通知装置１２０側では、ページング・メッセージＰの受信による処理（ステップＳ１１０１〜ステップＳ１１０３）を実行し、着信検出対象であるＩＭＳＩを着信通知制御装置１４０に通知する（ステップＳ１１０４）。これにより、着信通知制御装置１４０は、ＩＭＳＩに該当するユーザ識別情報に基づき、該当するユーザへの通知処理をおこない（ステップＳ１３０１）、ユーザ通知装置１５０により表示等の通知をおこなう（ステップＳ１３０２）。このときの時刻を時刻ｔ０とする。
【００５２】
携帯端末１１０側では、ページング・メッセージＰの受信による処理（ステップＳ１２０１〜ステップＳ１２０３）を実行し、受信したＩＭＳＩが自端末のＩＭＳＩと同じときには（ステップＳ１２０３：Ｙｅｓ）、自端末に対するページング・メッセージＰの受信であるため、携帯端末１１０は、コネクション確立のためのメッセージ（ＲＲＣ  Ｃｏｎｎｅｃｔｉｏｎ  Ｒｅｑｕｅｓｔ）を基地局１０２に送信する（ステップＳ１２０４）。このときの時刻は時刻ｔ０である。
【００５３】
このとき、ユーザ通知装置１５０側では、ユーザ通知をおこなっている。このため、ステップＳ１２０４以降のコネクション確立動作（ステップＳ１３１０）の後、携帯端末１１０では所定時間の呼び出し動作をおこなっている間に、ユーザは、自身の携帯端末１１０に対する着信があったことをユーザ通知装置１５０により知ることができる。したがって、時刻ｔ０から所定時間が経過する時刻ｔ１に通話ボタンを押下（ステップＳ１３１１）するまでの期間において、ユーザは１回の着信中に携帯端末１１０の着信呼動（呼び出し）に応答できるようになる。この後、ユーザは携帯端末１１０を用いた通話をおこない（通話中状態：ステップＳ１３１２）、図示しない通話期間経過後に通話終了する。
【００５４】
上記のように、携帯端末１１０への着信呼動以前のページング・メッセージＰの受信を契機としてユーザに対する通知をおこなう構成とすることにより、携帯端末１１０のユーザは、携帯端末１１０に対する１回の着信で速やかに応答できるようになる。
【００５５】
上述した実施の形態によれば、ユーザは、携帯端末１１０を携帯している場合、あるいはロッカー等に預ける等して携帯せず着信通知サービスを利用する場合、のいずれにおいても、自身の携帯端末１１０に対する着信時に、速やかに着信応答できるようになる。
【００５６】
また、上述した実施の形態では、受信通知装置１２０と、着信通知制御装置１４０とを異なる装置で構成したが、受信通知装置１２０は、着信通知制御装置１４０の機能を含む構成にもできる。この場合、受信通知装置１２０の機能は、図３に示した着信通知制御装置１４０の機能を含む。また、データ格納部５０５には、図４に示した登録情報テーブル４００が格納されることになり、図６に示したＩＭＳＩリスト６００は不要となる。
【００５７】
このように、受信通知装置１２０内部に、着信通知制御装置１４０の機能を一体化して設けることにより、設置台数を削減でき、また、受信通知装置１２０の設置位置を着信通知制御装置１４０の設置位置による制限を受けず、自由に設置できるようになる。このように一体化した受信通知装置１２０の場合、読取装置１３０と、ユーザ通知装置１５０は、この受信通知装置１２０に接続される。また、受信通知装置１２０が全ての機能、すなわち、着信通知制御装置１４０の機能と、ユーザ通知装置１５０による通知の機能と、読取装置１３０の機能を備える構成にもできる。
【００５８】
つぎに、上述した実施の形態において説明した構成を用いた具体的な適用例について説明する。
【００５９】
（適用例１：スーパー等の店舗）
１．登録：読取装置１３０を店舗入口に設置する。携帯端末１１０を読取装置１３０にかざすことで、かざした携帯端末１１０のＩＭＳＩ、ユーザ識別情報を読取装置１３０が読み取り、着信通知制御装置１４０に登録情報として登録する。
２．通知：ユーザ通知装置１５０を館内に設け、電光掲示板やアナウンス（館内放送）でユーザに着信があったことを通知する。
３．削除：登録情報の削除は、店舗の出口に読取装置１３０を設置し、登録と同じように携帯端末１１０の端末識別情報を読取装置１３０で読み取ることにより、着信通知制御装置１４０は、この携帯端末１１０の登録情報（ＩＭＳＩおよびユーザ識別情報）を削除する。
【００６０】
（適用例２：交通機関の乗車時）
図１４は、交通機関の乗車時の適用例を示す図である。図１４を用いて乗り物１４０１への乗車時の例を説明する。
【００６１】
１．乗り物１４０１（たとえば新幹線）への乗車時に携帯端末１１０を改札機１４０２にかざし登録情報を読み取る。改札機１４０２が読取装置１３０の機能を有する。携帯端末１１０を改札機１４０２にかざす（ＩＣカード機能やＢｌｕｅｔｏｏｔｈ機能を利用）ことで、かざした携帯端末１１０の登録情報（ＩＭＳＩ、ユーザ識別情報）を読み取る。２．この際、携帯端末１１０の事前登録により、乗り物１４０１の指定席の座席位置等の情報をデータベース１４０３から取得することができる。３．このため、ユーザ情報として座席位置の情報を含ませることができ、着信通知制御装置１４０は、データ格納部１４１に登録するユーザ識別情報として座席位置等を加えて登録する。
【００６２】
４．着信通知制御装置１４０は、登録した全ての携帯端末１１０のＩＭＳＩを受信通知装置１２０に通知する。受信通知装置１２０は、通知されたＩＭＳＩを格納する。５．受信通知装置１２０は、格納されているＩＭＳＩに対応するページング・メッセージＰを受信したときには、着信通知制御装置１４０にＩＭＳＩを通知する。
【００６３】
６．着信通知制御装置１４０は、ＩＭＳＩの通知を受けると、データ格納部１４１に登録されているＩＭＳＩに対応するユーザ識別情報（たとえば名前）を読み出してユーザ通知装置１５０に出力する。ユーザ通知装置１５０としては、乗り物１４０１の車内の電光掲示板を用いて着信があったことを通知する。また、指定席により座席位置が判っているユーザについてはユーザ識別情報として座席位置が登録されており、通知する座席が特定できる。この場合、ユーザ通知装置１５０として、座席に備え付けられているモニタへの表示や座席を振動させることで着信を通知することもできる。
【００６４】
また、着信通知制御装置１４０からの登録情報の削除は、乗り物１４０１からの降車時に携帯端末１１０を改札機１４０２にかざし読取装置１３０で端末識別情報を読み取ることにより、登録時と同じ手段でかざした端末の登録情報（ＩＭＳＩ、ユーザ識別情報）を削除する。
【００６５】
（適用例３：浴場やプールなど携帯端末を持ち込めない特定エリア）
図１５は、携帯端末を持ち込めない特定エリアへの適用例を示す図である。図１５に示すように、特定エリアには、ユーザ通知装置１５０を設置するとともに、携帯端末１１０に代えて、特定エリアに持ち込み可能な防水シール付きの携帯型のユーザ通知装置１５０１を用いる。ユーザ通知装置１５０１は、ユーザ通知装置１５０を小型化した無線機器であり、既存の無線を使用して着信通知制御装置１４０から情報を受信し、ユーザ通知装置１５０同様にユーザに携帯端末１１０への着信を通知できる。
【００６６】
１．特定エリアの受付や入口に、読取装置１３０を設置する。携帯端末１１０を読取装置１３０にかざすことで、かざした携帯端末１１０の登録情報（ＩＭＳＩ、ユーザ識別情報）を読み取る。２．読取装置１３０は、携帯型のユーザ通知装置１５０１のアドレス情報（たとえばＢｌｕｅｔｏｏｔｈアドレスやＭＡＣアドレス）をユーザ識別情報として、ＩＭＳＩとともに着信通知制御装置１４０に通知する。携帯端末１１０に代えて、携帯型のユーザ通知装置１５０１は携帯端末１１０のユーザへ渡す。着信通知制御装置１４０は、データ格納部１４１に登録するユーザ識別情報として携帯型のユーザ通知装置１５０１のアドレス情報を加えて登録する。
【００６７】
３．着信通知制御装置１４０は、登録した全ての携帯端末１１０のＩＭＳＩを受信通知装置１２０に通知する。受信通知装置１２０は、通知されたＩＭＳＩを格納する。４．受信通知装置１２０は、格納されているＩＭＳＩに対応するページング・メッセージＰを受信したときには、着信通知制御装置１４０にＩＭＳＩを通知する。５．着信通知制御装置１４０は、ＩＭＳＩの通知を受けると、データ格納部１４１に登録されているＩＭＳＩに対応する登録情報を読み出し、ユーザ識別情報（たとえば名前）をユーザ通知装置１５０に出力する。また、携帯端末１１０のユーザは、携帯型のユーザ通知装置１５０１を体の一部に貼っておき、該当ユーザの携帯端末１１０に着信があった場合は、ユーザ通知装置１５０とともに、携帯型のユーザ通知装置１５０１が着信通知制御装置１４０からの無線を介した通知により、表示、音声、振動等によりユーザに着信を知らせる。
【００６８】
また、着信通知制御装置１４０からの登録情報の削除は、受付や特定エリアの出口に読取装置１３０を設置し、登録と同じように読取装置１３０にかざした携帯端末１１０の登録情報（ＩＭＳＩ、ユーザ識別情報）を削除する。
【００６９】
（適用例４：スーパーや店舗等でユーザが共通に使用するものに設置する例）
この適用例では、上述した読取装置１３０とユーザ通知装置１５０は、カートや買い物カゴなど、ユーザが共通に使用するものに設置する。これら読取装置１３０とユーザ通知装置１５０は、無線により着信通知制御装置１４０に接続される。
【００７０】
１．登録：携帯端末１１０を読取装置１３０にかざすか、近接配置することで、読取装置１３０は、かざした携帯端末１１０の登録情報（ＩＭＳＩ、ユーザ識別情報）を読み取り、着信通知制御装置１４０に登録情報を登録する。
２．通知：ユーザ通知装置１５０は、カートや買い物カゴに備え付けてある簡易モニタで表示したり、バイブレータを動作することでユーザに着信を知らせる。
３．削除：携帯端末１１０電話を読取装置１３０に再度かざすか、読取装置１３０から離すことにより、着信通知制御装置１４０は、携帯端末１１０の登録情報（ＩＭＳＩ、ユーザ識別情報）を削除する。
【００７１】
（適用例５：災害時の適用例）
地震や台風等の災害発生時に、避難所（携帯端末の紛失状態）で利用することが考えられる。家屋が倒壊して携帯端末１１０を家の中に放置したままの状態で避難所に非難しているとき、携帯端末１１０への着信を、避難所のパソコンで表示させたり、または避難所の放送でアナウンスして着信を知らせる。この例では、ユーザ通知装置１５０は、避難所や各自治体の役場、集会所に設置されているパソコンや電光掲示板を用いた表示等をおこなう。また、ユーザ通知装置１５０を避難所や自治体管理の放送局に設置し、着信時に放送をおこなう構成にもできる。
【００７２】
１．登録：携帯端末１１０の契約時に登録情報（ＩＭＳＩ、ユーザ識別情報）を着信通知制御装置１４０に登録しておく。このときの登録は、町や村の地区等、地域ごとに予めおこなっておく。また、別の登録方法として、各地方自治体が定める場所（役場や集会所など）に読取装置１３０を設置しておき、事前に携帯端末１１０の登録情報を読み取り、着信通知制御装置１４０に登録してもよい。
２．通知：ユーザ通知装置１５０として用いる非難所に設定されたパソコン上や電光掲示板に表示したり、避難所や自治体管理の放送局から着信があったことを放送して知らせる。
３．削除：各地方が自治体定める場所（役場や集会所など）に読取装置１３０を設置しておき、携帯端末１１０をかざすことで携帯端末１１０の登録情報（ＩＭＳＩ、ユーザ識別情報）を削除する。
【００７３】
なお、上述の各適用例では、着信通知制御装置１４０に対する登録情報の登録および削除について説明したが、着信通知制御装置１４０に対する登録および削除をおこなうことにより、受信通知装置１２０におけるＩＭＳＩの登録および削除が連動しておこなわれる。
【００７４】
上述した実施の形態によれば、受信通知装置１２０に携帯端末１１０の端末識別情報（ＩＭＳＩ）を登録しておくことにより、携帯端末１１０に対する着信をこの携帯端末１１０だけではなく、受信通知装置１２０においても検出できるようになり、携帯端末１１０のユーザに対しユーザ通知装置１５０を介して、携帯端末１１０への着信を速やかに通知できるようになる。
【００７５】
また、受信通知装置１２０は、単一の携帯端末１１０だけでなく複数の携帯端末１１０にそれぞれ固有の端末識別情報を登録できるため、複数のユーザに対する代替着信を検出し、速やかにユーザに通知できるようになる。
【００７６】
さらに、上記の実施の形態は、携帯通信事業者の既存インフラ設備に影響を与えることがなく、エンドユーザ端末側に設置する構成であるため、低コストで容易に実現することができる。また、既存設備を改造して簡単に対応できる。そして、上記構成によれば、携帯端末１１０そのものと、受信通知装置１２０（正確にはユーザ通知装置１５０）の両者を用いて着信通知できるため、ユーザは携帯端末１１０に対する着信を速やかに確認でき、ユーザに対して着信認識の機会を大幅に向上できる。
【００７７】
なお、本実施の形態で説明した受信通知方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【符号の説明】
【００７８】
１００  携帯電話ネットワーク
１１０  携帯端末
１２０  受信通知装置
１３０  読取装置
１４０  着信通知制御装置
１４１  データ格納部
１５０，１５０１  ユーザ通知装置
３０３  制御部
４００  登録情報テーブル
４０１ａ  ＩＭＳＩ
４０１ｂ  ユーザ識別情報
５０３  制御部
５０５  データ格納部
６００  ＩＭＳＩリスト
７０２  ユーザ通知部
７０２ａ  表示部
７０２ｂ  振動部
７０２ｃ  音出力部
【図１】
2012212994.tif 000003
【図２】
2012212994.tif 000004
【図３】
2012212994.tif 000005
【図４】
2012212994.tif 000006
【図５】
2012212994.tif 000007
【図６】
2012212994.tif 000008
【図７】
2012212994.tif 000009
【図８】
2012212994.tif 000010
【図９】
2012212994.tif 000011
【図１０】
2012212994.tif 000012
【図１１】
2012212994.tif 000013
【図１２】
2012212994.tif 000014
【図１３】
2012212994.tif 000015
【図１４】
2012212994.tif 000016
【図１５】
2012212994.tif 000017